【手続補正書】
【提出日】平成16年8月3日(2004.8.3)
【手続補正１】
【補正対象書類名】特許請求の範囲
【補正対象項目名】全文
【補正方法】変更
【補正の内容】
【特許請求の範囲】
【請求項１】
ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つのアミノ酸配列をコードするヌクレオチド配列を含んでなる、単離された核酸。
【請求項２】
配列番号２６、配列番号２８、および配列番号３０からなる群から選択される少なくとも一つのアミノ酸配列をコードするヌクレオチド配列を含んでなる、単離された核酸。
【請求項３】
配列番号２０、配列番号２１、および配列番号２２からなる群から選択される少なくとも一つのヌクレオチド配列を含んでなる、単離された核酸。
【請求項４】
請求項１〜３のいずれか一項に記載のヌクレオチド配列に相補的なヌクレオチド配列を含んでなる、単離された核酸。
【請求項５】
請求項１〜４のいずれか一項に記載の核酸を含んでなる、ベクター。
【請求項６】
ベクターが、ポックスウイルス、レトロウイルス、アデノウイルス、ヘルペスウイルス、ポリオウイルス、アルファウイルス、バキュロウイルス、およびシンドビスウイルスからなる群から選択されるウイルスベクターである、請求項５に記載のベクター。
【請求項７】
ベクターが、オルソポックスウイルス、ワクシニアウイルス、アヴィポックスウイルス、鶏痘ポックスウイルス、カプリポックスウイルス、およびスイポックスウイルスからなる群から選択されるポックスウイルスベクターである、請求項５に記載のベクター。
【請求項８】
請求項５〜７のいずれか一項に記載のベクターを含んでなる、宿主細胞。
【請求項９】
宿主細胞がヒト細胞である、請求項８に記載の宿主細胞。
【請求項１０】
宿主細胞が抗原提示細胞または腫瘍細胞である、請求項８または９に記載の宿主細胞。
【請求項１１】
請求項１〜４のいずれか一項に記載の単離された核酸を含んでなる、プライマー。
【請求項１２】
請求項１〜４のいずれか一項に記載の単離された核酸を含んでなる、プローブ。
【請求項１３】
ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つの配列を含んでなる、単離されたアミノ酸配列。
【請求項１４】
配列番号２６、配列番号２８および配列番号３０からなる群から選択される配列を含んでなる、単離されたアミノ酸配列。
【請求項１５】
請求項１３または１４に記載の単離されたアミノ酸配列に結合する抗体。
【請求項１６】
抗体がモノクローナル抗体である、請求項１５に記載の抗体。
【請求項１７】
（ａ）請求項１２に記載のプローブ、および
（ｂ）前記プローブと核酸との結合を検出するための少なくとも１種の成分
を含んでなる、核酸を検出するためのキット。
【請求項１８】
（ａ）請求項１５または１６に記載の抗体、および
（ｂ）前記抗体とアミノ酸配列との結合を検出するための少なくとも１種の成分
を含んでなる、アミノ酸配列を検出するためのキット。
【請求項１９】
核酸を検出するための方法であって、
（ａ）請求項１２に記載のプローブを、核酸を含んでなる生物学的サンプルとともにインキュベートし、それによりハイブリダイゼーション複合体を形成し、そして
（ｂ）前記（ａ）で形成された複合体を検出する
ことを含んでなり、前記複合体の存在が核酸の検出を示す、方法。
【請求項２０】
アミノ酸配列を検出するための方法であって、
（ａ）請求項１５または１６に記載の抗体を、アミノ酸配列を含んでなる生物学的サンプルとともにインキュベートし、それにより複合体を形成し、そして
（ｂ）前記（ａ）で形成された複合体を検出する
ことを含んでなり、前記複合体の存在がアミノ酸配列の検出を示す、方法。
【請求項２１】
組換えアミノ酸配列を生産するための方法であって、
（ａ）請求項８〜１０のいずれか一項に記載の宿主細胞を前記組換えアミノ酸配列の産生に好適な条件下で培養し、そして
（ｂ）前記宿主細胞または宿主細胞培養物から前記組換えアミノ酸配列を回収し、それにより前記組換えアミノ酸配列を生産する
ことを含んでなる、方法。
【請求項２２】
組換えアミノ酸配列を単離する方法であって、
（ａ）ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つの配列を含んでなる組換えアミノ酸配列を発現する宿主細胞から得られた生物学的サンプルをインキュベートし、そして
（ｂ）複合体から前記組換えアミノ酸配列を回収し、それにより前記組換えアミノ酸配列を単離する
ことを含んでなる、方法。
【請求項２３】
前立腺特異抗原アゴニストペプチド活性を増強する薬剤を同定する方法であって、
（ａ）細胞傷害性Ｔ細胞を、請求項１２または１３に記載の単離されたアミノ酸配列および試験薬剤とともにインキュベートし、そして
（ｂ）前記細胞傷害性Ｔ細胞の増幅をスクリーニングする
ことを含んでなり、前記増幅が前立腺特異抗原アゴニストペプチド活性を増強する薬剤の同定を示す、方法。
【請求項２４】
前立腺特異抗原アゴニストペプチド活性を増強する薬剤を同定する方法であって、
（ａ）請求項８〜１０のいずれか一項に記載の宿主細胞を試験薬剤とともにインキュベートし、そして
（ｂ）前記宿主細胞の増幅をスクリーニングする
ことを含んでなり、前記増幅が前立腺特異抗原アゴニストペプチド活性を増強する薬剤の同定を示す、方法。
【請求項２５】
請求項５〜７のいずれか一項に記載のベクターと、生理学上許容される担体、賦形剤または希釈剤とを含んでなる、医薬組成物。
【請求項２６】
請求項８〜１０のいずれか一項に記載の宿主細胞と、生理学上許容される担体、賦形剤または希釈剤とを含んでなる、医薬組成物。
【請求項２７】
請求項１３または１４に記載の単離されたアミノ酸配列と、生理学上許容される担体、賦形剤または希釈剤とを含んでなる、医薬組成物。
【請求項２８】
請求項２５〜２７のいずれか一項に記載の医薬組成物を、前立腺癌を治療するのに十分な量で投与することを含んでなる、前立腺癌を治療または予防する方法。
【請求項２９】
前記医薬組成物が、ミョウバン、アルミニウム塩、リン酸アルミニウム、水酸化アルミニウム、珪酸アルミニウム、モンタニド、およびリン酸カルシウムからなる群から選択されるアジュバントとともに投与される、請求項２８に記載の方法。
【請求項３０】
前記医薬組成物が、ＩＬ−２、ＩＬ−６、ＩＬ−１２、ＲＡＮＴＥＳ、ＧＭ−ＣＳＦ、ＴＮＦ−α、ＩＦＮ−γ、ＧＭ−ＣＳＦ、Ｇ−ＣＳＦ、ＩＣＡＭ−１、ＬＦＡ−３、ＣＤ７２、Ｂ７−１、Ｂ７−２、ＯＸ−４０Ｌ、および４１ＢＢＬからなる群から選択される生物学的アジュバントとともに投与される、請求項２８に記載の方法。
【請求項３１】
前記医薬組成物が抗原提示細胞とともに投与される、請求項２８に記載の方法。
【請求項３２】
前記医薬組成物が樹状細胞またはＢ細胞とともに投与される、請求項２８に記載の方法。
【請求項３３】
前記医薬組成物が、ホルモン療法、化学療法、外科術、凍結外科術、放射線療法、間質放射線治療、および抗ＨＥＲ２免疫療法からなる群から選択される治療法と併せて投与される、請求項２８に記載の方法。
【請求項３４】
前立腺癌を治療または予防する方法であって、
（ａ）ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つのアミノ酸配列をコードする単離された核酸を、単独で、または全ＰＳＡ遺伝子配列もしくはその生物学的に活性な部分の一部として含んでなるベクター、
（ｂ）前記（ａ）のベクターを含んでなる宿主細胞、ならびに
（ｃ）ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つの配列を含んでなるアミノ酸配列
からなる群から選択される少なくとも一種の成分を含んでなる医薬組成物を、前立腺癌を治療するのに十分な量で投与することを含んでなる、方法。
【請求項３５】
前立腺癌の治療方法をモニタリングする方法であって、
（ａ）被験体由来の生物学的サンプルを、ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つのアミノ酸配列をコードする単離された核酸とともに、その単離された核酸と前記サンプル中の核酸とがハイブリダイズしてハイブリッドを形成し得る条件下でインキュベートし、そして
（ｂ）前記（ａ）で形成されたハイブリッドのレベルを測定し、それにより前記治療方法をモニタリングする
ことを含んでなる、方法。
【請求項３６】
前立腺癌の治療方法をモニタリングする方法であって、
（ａ）治療される被験体由来の生物学的サンプルを、ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択されるアミノ酸配列と結合する抗体とともに、その抗体が前記サンプル中のアミノ酸配列と結合して複合体を形成し得る条件下でインキュベートし、そして
（ｂ）前記（ａ）で形成された複合体のレベルを測定し、それにより前記治療方法をモニタリングする
ことを含んでなる、方法。
【請求項３７】
ＶＬＳＮＤＶＣＡＱＶ（配列番号３）、ＹＩＳＮＤＶＣＡＱＶ（配列番号４）、およびＹＬＳＮＤＶＣＡＱＶ（配列番号５）からなる群から選択される少なくとも一つの配列を含んでなる単離されたアミノ酸配列のアプタマー。